【手続補正書】
【提出日】平成28年8月30日(2016.8.30)
【手続補正１】
【補正対象書類名】特許請求の範囲
【補正対象項目名】全文
【補正方法】変更
【補正の内容】
【特許請求の範囲】
【請求項１】
静電潜像が形成される像担持体と、
前記像担持体に形成された静電潜像をトナー像として現像する現像手段と、
前記像担持体に形成されたトナー像を中間転写体に一次転写する一次転写手段と、
前記中間転写体に一次転写されたトナー像を記録材に二次転写する二次転写手段と、
前記中間転写体に接触して中間転写体上のトナーをクリーニングするクリーニング手段と、
記録材の搬送方向の長さを検知する検知手段と、を備え、
前記中間転写体上に、記録材に二次転写される第１のトナー像と、前記第１のトナー像に続いて記録材に二次転写されない第２のトナー像を形成する場合、前記第１のトナー像が二次転写される前記検知手段で検知された記録材の搬送方向の長さに応じて、前記中間転写体の移動方向において、前記中間転写体に形成する前記第２のトナー像の位置と長さを制御することを特徴とする画像形成装置。
【請求項２】
前記第２のトナー像は、前記検知手段で検知された記録材の後端から所定の長さだけ離れた位置に形成されることを特徴とする請求項１に記載の画像形成装置。
【請求項３】
さらに、前記第１のトナー像が二次転写される記録材に後続する記録材に二次転写される第３のトナー像を前記第２のトナー像に続いて形成する画像形成装置であって、
前記第３のトナー像を開始する位置に応じて、前記第２のトナー像の長さを制御することを特徴とする請求項１又は２に記載の画像形成装置。
【請求項４】
さらに、前記第１のトナー像が二次転写される記録材に後続する記録材に二次転写される第３のトナー像を前記第２のトナー像に続いて形成する画像形成装置であって、
前記検知手段で検知された前記第１のトナー像が二次転写される記録材の搬送方向の長さに応じて、前記第３のトナー像を形成する位置を制御することを特徴とする請求項１乃至３のいずれか１項に記載の画像形成装置。
【請求項５】
トナー像の形成を制御するエンジンと、
トナー像を形成するための画像情報を前記エンジンに送信するコントローラと、を備え、
前記検知手段で検知された前記第１のトナー像が二次転写される記録材の搬送方向の長さに応じて、前記エンジンから前記コントローラに画像情報を要求する信号を送信するタイミングを制御することで、前記第２のトナー像を形成する位置を制御することを特徴とする請求項１乃至４のいずれか１項に記載の画像形成装置。
【請求項６】
トナー像の形成を制御するエンジンと、
トナー像を形成するための画像情報を前記エンジンに送信するコントローラと、を備え、
前記検知手段で検知された前記第１のトナー像が二次転写される記録材の搬送方向の長さに応じて、前記コントローラから前記エンジンに画像情報を送信するタイミングを制御することで、前記第２のトナー像を形成する位置を制御することを特徴とする請求項１乃至４のいずれか１項に記載の画像形成装置。
【請求項７】
トナー像の形成を制御するエンジンと、
トナー像を形成するための画像情報を前記エンジンに送信するコントローラと、を備え、
前記検知手段で検知された前記第１のトナー像が二次転写される記録材の搬送方向の長さに応じて、前記エンジンから前記コントローラに画像情報を要求する信号を送信するタイミングを制御することで、前記第３のトナー像を形成する位置を制御することを特徴とする請求項４乃至６のいずれか１項に記載の画像形成装置。
【請求項８】
トナー像の形成を制御するエンジンと、
トナー像を形成するための画像情報を前記エンジンに送信するコントローラと、を備え、
前記検知手段で検知された前記第１のトナー像が二次転写される記録材の搬送方向の長さに応じて、前記コントローラから前記エンジンに画像情報を送信するタイミングを制御することで、前記第３のトナー像を形成する位置を制御することを特徴とする請求項４乃至６のいずれか１項に記載の画像形成装置。
【請求項９】
前記第２のトナー像は、前記クリーニング手段にトナーを供給するためのトナー像、又は濃度補正用のトナー像、又は色ずれ補正用のトナー像であることを特徴とする請求項１乃至８のいずれか１項に記載の画像形成装置。
【請求項１０】
静電潜像が形成される像担持体と、
前記像担持体に形成された静電潜像をトナー像として現像する現像手段と、
前記像担持体に形成されたトナー像を記録材に転写する転写手段と、
記録材の搬送方向の長さを検知する検知手段と、を備え、
前記像担持体上に、記録材に転写される第１のトナー像と、前記第１のトナー像に続いて第２のトナー像を形成する場合、前記第１のトナー像が転写される前記検知手段で検知された記録材の搬送方向の長さに応じて、前記像担持体の移動方向において、前記像担持体に形成する前記第２のトナー像の位置と長さを制御することを特徴とする画像形成装置。
【請求項１１】
前記第２のトナー像は、前記検知手段で検知された記録材の後端から所定の長さだけ離れた位置に形成されることを特徴とする請求項１０に記載の画像形成装置。
【請求項１２】
さらに、前記第１のトナー像が転写される記録材に後続する記録材に転写される第３のトナー像を前記第２のトナー像に続いて形成する画像形成装置であって、
前記第３のトナー像を開始する位置に応じて、前記第２のトナー像の長さを制御することを特徴とする請求項１０又は１１に記載の画像形成装置。
【請求項１３】
さらに、前記第１のトナー像が転写される記録材に後続する記録材に転写される第３のトナー像を前記第２のトナー像に続いて形成する画像形成装置であって、
前記検知手段で検知された前記第１のトナー像が転写される記録材の搬送方向の長さに応じて、前記第３のトナー像を形成する位置を制御することを特徴とする請求項１０乃至１２のいずれか１項に記載の画像形成装置。
【請求項１４】
トナー像の形成を制御するエンジンと、
トナー像を形成するための画像情報を前記エンジンに送信するコントローラと、を備え、
前記検知手段で検知された前記第１のトナー像が転写される記録材の搬送方向の長さに応じて、前記エンジンから前記コントローラに画像情報を要求する信号を送信するタイミングを制御することで、前記第２のトナー像を形成する位置を制御することを特徴とする請求項１０乃至１３のいずれか１項に記載の画像形成装置。
【請求項１５】
トナー像の形成を制御するエンジンと、
トナー像を形成するための画像情報を前記エンジンに送信するコントローラと、を備え、
前記検知手段で検知された前記第１のトナー像が転写される記録材の搬送方向の長さに応じて、前記コントローラから前記エンジンに画像情報を送信するタイミングを制御することで、前記第２のトナー像を形成する位置を制御することを特徴とする請求項１０乃至１３のいずれか１項に記載の画像形成装置。
【請求項１６】
トナー像の形成を制御するエンジンと、
トナー像を形成するための画像情報を前記エンジンに送信するコントローラと、を備え、
前記検知手段で検知された前記第１のトナー像が転写される記録材の搬送方向の長さに応じて、前記エンジンから前記コントローラに画像情報を要求する信号を送信するタイミングを制御することで、前記第３のトナー像を形成する位置を制御することを特徴とする請求項１３乃至１５のいずれか１項に記載の画像形成装置。
【請求項１７】
トナー像の形成を制御するエンジンと、
トナー像を形成するための画像情報を前記エンジンに送信するコントローラと、を備え、
前記検知手段で検知された前記第１のトナー像が転写される記録材の搬送方向の長さに応じて、前記コントローラから前記エンジンに画像情報を送信するタイミングを制御することで、前記第３のトナー像を形成する位置を制御することを特徴とする請求項１３乃至１５のいずれか１項に記載の画像形成装置。
【請求項１８】
前記像担持体に接触して像担持体上のトナーをクリーニングするクリーニング手段を備え、
前記第２のトナー像は、前記クリーニング手段にトナーを供給するためのトナー像、又は濃度補正用のトナー像、又は色ずれ補正用のトナー像であることを特徴とする請求項１０乃至１７のいずれか１項に記載の画像形成装置。
【請求項１９】
前記第２のトナー像は記録材に転写されないトナー像であることを特徴とする請求項１０乃至１８に記載の画像形成装置。
【手続補正２】
【補正対象書類名】明細書
【補正対象項目名】０００７
【補正方法】変更
【補正の内容】
【０００７】
上記目的を達成するために本発明は、静電潜像が形成される像担持体と、前記像担持体に形成された静電潜像をトナー像として現像する現像手段と、前記像担持体に形成されたトナー像を中間転写体に一次転写する一次転写手段と、前記中間転写体に一次転写されたトナー像を記録材に二次転写する二次転写手段と、前記中間転写体に接触して中間転写体上のトナーをクリーニングするクリーニング手段と、記録材の搬送方向の長さを検知する検知手段と、を備え、前記中間転写体上に、記録材に二次転写される第１のトナー像と、前記第１のトナー像に続いて記録材に二次転写されない第２のトナー像を形成する場合、前記第１のトナー像が二次転写される前記検知手段で検知された記録材の搬送方向の長さに応じて、前記中間転写体の移動方向において、前記中間転写体に形成する前記第２のトナー像の位置と長さを制御することを特徴とする。